(57)【要約】【課題】透光性を有するカバーに配置されたアンテナが目立ち難くなり、意匠性の低下を抑制できる照明装置を提供する。【解決手段】照明装置１０は、発光部１３を有する基板１２と、基板１２が配置される基板配置面２４を有する器具本体１４と、基板１２を覆って器具本体１４に取り付けられる、透光性を有するカバー１６と、カバー１６に配置され、外部から信号を受信するアンテナ１８と、器具本体１４に取り付けられ、発光部１３に電力を供給する駆動装置２０と、アンテナ１８で受信した信号に基づいて駆動装置２０から発光部１３への電力供給を制御する制御装置２２とを備える。カバー１６は、拡散率４０〜９０％である。【選択図】図１
2019110103.tif 000002
【特許請求の範囲】
【請求項１】
発光部を有する基板と、
前記基板が配置される基板配置面を有する器具本体と、
前記基板を覆って前記器具本体に取り付けられる、透光性を有するカバーと、
前記カバーに配置され、外部から信号を受信するアンテナと、
前記器具本体に取り付けられ、前記発光部に電力を供給する駆動装置と、
前記アンテナで受信した信号に基づいて前記駆動装置から前記発光部への電力供給を制御する制御装置と、を備え、
前記カバーは拡散率４０〜９０％である、
照明装置。
【請求項２】
前記アンテナは、前記カバーにおいて前記器具本体と前記カバーとの間に形成される空間と接する内面に配置されている、請求項１に記載の照明装置。
【請求項３】
前記カバーは前記基板配置面と交差する方向に延伸する側面を有し、前記アンテナは前記側面に配置されている、請求項１または２に記載の照明装置。
【請求項４】
前記カバーは平面視で矩形形状を有し、前記アンテナは前記カバーの端部に配置されている、請求項１〜３のいずれか一項に記載の照明装置。
【請求項５】
前記制御装置は、前記アンテナに対向する前記器具本体の端部に配置されている、請求項４に記載の照明装置。
【請求項６】
前記アンテナは透光性基材上に形成されており、
前記透光性基材が延伸して前記制御装置に機械的に接続され、かつ、前記アンテナが前記制御装置に電気的に接続されている、請求項１〜５のいずれか一項に記載の照明装置。
【請求項７】
前記透光性基材は前記カバーに貼着されている、請求項６に記載の照明装置。
【請求項８】
前記アンテナは、前記透光性基材の長手方向の端部に形成されている、請求項６または７に記載の照明装置。
【請求項９】
前記透光性基材の光透過率は９０％以上である、請求項６に記載の照明装置。
【請求項１０】
前記アンテナは、前記制御装置に接続される部分以外が透光性の保護層で覆われている、請求項１〜９のいずれか一項に記載の照明装置。
【請求項１１】
前記アンテナを構成する導電性パターン線の幅は０．１〜０．５ｍｍである、請求項１〜１０のいずれか一項に記載の照明装置。
【請求項１２】
前記アンテナは、透明導電性材料で形成されている、請求項１〜１１のいずれか一項に記載の照明装置。
【発明の詳細な説明】
【技術分野】
【０００１】
本開示は、アンテナを備える照明装置に関する。
【背景技術】
【０００２】
従来、特許文献１には、アンテナを備えた照明装置が開示されている。この照明装置は、外部に光を照射する光源と、光源が取り付けられる取付面を有するベース部と、光源を覆うように形成され、ベース部の下側に取り付けられるカバー部と、無線端末と通信を行う無線通信部と、無線端末の位置情報を送信する位置情報送信器とを備え、パターンアンテナを含む位置情報送信器がカバーに設けられることが記載されている。
【０００３】
特許文献１では、位置情報送信器のアンテナを照明装置の端部に設けられる口金部の近傍に配置すると、アンテナから送信できる無線信号の送信範囲が口金部によって制限されることから、アンテナを含む位置情報送信器をカバーの長さ方向中央に配置することが記載されている。
【先行技術文献】
【特許文献】
【０００４】
【特許文献１】特開２０１４−１６７８７８号公報
【発明の概要】
【発明が解決しようとする課題】
【０００５】
上記特許文献１に記載される照明装置のように、アンテナをカバーに配置する場合、カバーは透光性を有することからアンテナをカバーに設けたことによって照明装置の意匠性が悪くならないようにする必要がある。
【０００６】
本開示の目的は、透光性を有するカバーに配置されたアンテナを目立ち難くして意匠性低下を抑制できる照明装置を提供することにある。
【課題を解決するための手段】
【０００７】
本開示に係る照明装置は、発光部を有する基板と、前記基板が配置される基板配置面を有する器具本体と、前記基板を覆って前記器具本体に取り付けられる、透光性を有するカバーと、前記カバーに配置され、外部から信号を受信するアンテナと、前記器具本体に取り付けられ、前記発光部に電力を供給する駆動装置と、前記アンテナで受信した信号に基づいて前記駆動装置から前記発光部への電力供給を制御する制御装置と、を備え、前記カバーは拡散率４０〜９０％である。
【発明の効果】
【０００８】
本開示に係る照明装置によれば、透光性を有するカバーに配置されたアンテナが目立ち難くなり、意匠性の低下を抑制できる。
【図面の簡単な説明】
【０００９】
【図１】第１実施形態の照明装置の分解斜視図である。
【図２】図１に示した照明装置を組み立てた状態でのＡ−Ａ断面図である。
【図３】第２実施形態の照明装置の分解斜視図である。
【図４】第１実施形態の変形例の照明装置を示す分解斜視図である。
【図５】第２実施形態の変形例の照明装置を示す分解斜視図である。
【図６】第１実施形態の更に別の変形例の照明装置を示す斜視図である。
【図７】図６に示した照明装置を組み立てた状態でのＢ−Ｂ断面図である。
【図８】（ａ）は第３実施形態の照明装置の上面図であり、（ｂ）は（ａ）中のＣ−Ｃ断面図である。
【図９】（ａ）は透光性基材上に形成されたアンテナの平面図であり、（ｂ）は（ａ）中のＤ−Ｄ断面図である。
【図１０】（ａ）は第４実施形態の照明装置の上面図であり、（ｂ）は（ａ）中のＥ−Ｅ断面図である。
【図１１】（ａ）は第４実施形態の照明装置の変形例を示す上面図であり、（ｂ）は（ａ）中のＦ−Ｆ断面図である。
【図１２】（ａ）は第５実施形態の照明装置の上面図であり、（ｂ）は（ａ）中のＧ−Ｇ断面図である。
【図１３】（ａ）は第５実施形態の照明装置の変形例を示す上面図であり、（ｂ）は（ａ）中のＨ−Ｈ断面図である。
【図１４】（ａ）は第６実施形態の照明装置の上面図であり、（ｂ）は（ａ）中のＩ−Ｉ断面図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は第１実施形態の照明装置１０の分解斜視であり、図２は図１に示した照明装置１０を組み立てた状態でのＡ−Ａ断面図である。図１および図２（図３〜図１４も同様）において、水平面内で互いに直交する長さ方向Ｘおよび幅方向Ｙと、これら二方向と直交する高さ方向Ｚが示されている。
【００１２】
図１に示すように、照明装置１０は、基板１２、器具本体１４、カバー１６、アンテナ１８、駆動装置２０、および、制御装置２２を備える。
【００１３】
基板１２は、発光部１３を有する。発光部１３は、基板１２の幅方向Ｙの中央において長さ方向Ｘに延伸して形成されている。発光部１３は、長さ方向Ｘに間隔をおいて複数配置された発光素子を樹脂材料で覆って封止したＣＯＢ（Chip on Board）構造により構成できる。発光素子には、例えば、発光ダイオード（ＬＥＤ）、有機ＥＬ（Electro Luminescence）素子等を用いることができる。また、基板１２上には、図示しない配線パターンが形成されており、発光部１３に含まれる複数の発光素子に電力供給できるようになっている。なお、発光部１３の構造は、ＣＯＢ構造に限定されるものではなく、例えば、ＳＭＤ（Surface Mount Device）等の他の構造であってもよい。
【００１４】
本実施形態では、２枚の基板１２が長さ方向Ｘに隣接して配置されている例が示される。各基板１２は、例えばコネクタ等によって電気的に接続されている。なお、照明装置１０に含まれる基板１２の数や接続構造は、照明装置の形状や大きさ等によって適宜に変更され得るものである。
【００１５】
器具本体１４は、平面視で長さ方向Ｘに細長い長方形状に形成されている。器具本体１４は、例えば、アルミニウム板等の金属板を曲げ加工することよって形成される。器具本体１４は、基板１２が配置される平坦な基板配置面２４を有する。基板１２は、基板配置面２４の一方の表面に、例えば、接着、粘着テープ、ねじ止め等によって固定されている。
【００１６】
器具本体１４は、基板配置面２４の幅方向Ｙの両側において略直角に折り曲げられた屈曲部２６を有する。屈曲部２６は、器具本体１４の長さ方向Ｘの全長にわたって形成されている。このように屈曲部２６が幅方向Ｙの両側に形成されていることで、器具本体１４の剛性を高めることができる。
【００１７】
器具本体１４において、屈曲部２６の先端部は、長さ方向Ｘから見て略円形状になるように曲げられている。このように屈曲部２６の先端部が丸められていることで、施工時などに照明装置１０の取り扱いを安全に行うことが可能になる。また、器具本体１４には、複数の取付部２８が幅方向Ｙの両側に突出して設けられている。これらの取付部２８を用いて照明装置１０を天井等に取り付けることができる。
【００１８】
カバー１６は、透光性を有する部材であり、基板１２の発光部１３から出射された光がカバー１６を介して外部に照射される。カバー１６は、例えば、アクリル樹脂等の樹脂材料によって一体成形されている。
【００１９】
カバー１６は、円筒面状に湾曲したカバー部１６ａと、カバー部１６ａの幅方向両側から高さ方向Ｚに沿って突出した取付部１６ｂと、カバー部１６ａの長さ方向両端部を閉じるように設けられた側面１６ｃとを一体に有している。取付部１６ｂの先端は幅方向Ｙに曲がったフック部として形成されており、このフック部が器具本体１４の屈曲部２６の先端に係合することによってカバー１６が器具本体１４に取り付けられる。
【００２０】
カバー１６のうち少なくともカバー部１６ａは、所定の拡散率を有する。本実施形態では、カバー部１６ａの拡散率は４０〜９０％に設定されている。このような拡散率を有することで、照明装置１０の外部からアンテナ１８が見え難くなり、カバー１６に設けられたアンテナ１８が目立たなくなる。その結果、照明装置１０の意匠性が低下するのを抑制することができる。カバー部１６ａの拡散率は、カバー１６を構成する樹脂材料中に分散される例えば、シリカ、炭酸カルシウム等の拡散材の量を調整することによって所定の範囲に設定することができる。ここで「拡散率」は、サンプルに垂直に平行光を照射したときの、透過拡散光の配光分布から求められる値で、出射角度が５度、２０度、７０度のときの光強度から、以下の式で求められる。
拡散率Ｄ＝｛（Ｂ７０＋Ｂ２０）／２｝／Ｂ５×１００
ここで、Ｂ７０は出射角度７０度の光強度、Ｂ２０は出射角度２０度の光強度、Ｂ５は出射角度５度の光強度である。
【００２１】
アンテナ１８は、照明装置１０の外部にある送信機から送信された無線信号を受信する機能を有する。この無線信号には、照明装置１０の点灯に関する情報（例えば、点灯、消灯、調光、点滅など）が含まれる。本実施形態では、逆Ｆ型パターンのアンテナ１８が例示されるが、これに限定されるものではなく、どのようなパターンのアンテナであってもよい。
【００２２】
アンテナ１８は、カバー１６に設けられている。より詳しくは、アンテナ１８は、図２に示すように、器具本体１４の基板配置面２４とカバー部１６ａとの間に形成される空間１５と接するカバー部１６ａの内面に配置されている。また、アンテナ１８は、カバー部１６ａの内面において器具本体１４の基板配置面２４に対向する位置に設けられている。アンテナ１８は、パターン形成された金属膜によって構成され、例えば、印刷、蒸着、貼り付け等によってカバー部１６ａの内面に配置することができる。このようにアンテナ１８がカバー部１６ａの内面に配置されていることで、施工時などにアンテナ１８が人手に触れにくくなることで損傷を抑制でき、その結果、通信不良の発生を抑制できる。
【００２３】
また、金属膜は、不透明であってもよいし、例えばＩＴＯ（酸化インジウムスズ）膜のような透明な金属膜であってもよい。アンテナ１８を構成する導電性パターン線の幅は０．１〜０．５ｍｍであることが好ましい。このようにすることで、照明装置１０の外部からアンテナ１８が視認しにくくなり、照明装置１０の意匠性低下を抑制することができる。
【００２４】
なお、アンテナ１８は、カバー１６の外面に配置されてもよい。この場合には、アンテナ１８を例えば透明フィルム材などで覆って人手等が触れないように保護するのが好ましい。
【００２５】
駆動装置２０は、器具本体１４の裏面に取り付けられている。駆動装置２０は、制御装置２２からの指令に応じて、基板１２の発光部１３に電力を供給する機能を有する。
【００２６】
制御装置２２は、アンテナ１８で受信した信号に基づいて駆動装置２０から基板１２の発光部１３への電力供給を制御する機能を有する。本実施形態では、制御装置２２は、プリント基板に実装されて構成され、照明装置１０の長さ方向Ｘの一端部において基板１３上に搭載されている。制御装置２２は、図示しないケーブルによってアンテナ１８と電気的に接続され、アンテナ１８で受信した無線信号に含まれる情報を受け取ることができる。
【００２７】
なお、アンテナ１８と制御装置２２との間は無線接続されてもよく、この場合には制御装置２２から放射された電磁波による電磁誘導によってアンテナ１８に電力供給され、この電力を用いてアンテナ１８から制御装置２２に情報が送信されてもよい。
【００２８】
本実施形態では、アンテナ１８は、カバー１６の長さ方向Ｘの一端部においてカバー部１６ａの内面に配置されている。したがって、照明装置１０では、制御装置２２が、高さ方向Ｚにおいてアンテナ１８に対向する器具本体１４の一端部に配置されており、カバー部１６ａにアンテナ１８が配置される場合において制御装置２２との間の距離が最短となっている。このように制御装置２２を配置することで、アンテナ１８と制御装置２２との間の電気的接続を容易に確保することができる。
【００２９】
上述した構成からなる照明装置１０では、照明装置１０の外部に位置する送信機から例えば点灯等を指示する無線信号が送信されると、この無線信号をアンテナ１８で受信する。アンテナ１８で受信された点灯指令等は、制御装置２２に送信される。制御装置２２は、この点灯指令を受けて、駆動装置２０に対して基板１２への電力供給の指令を発する。この指令を受けて駆動装置２０では基板１２への電力供給を開始し、これにより基板１２の発光部１３が発光する。
【００３０】
上述したように、本実施形態の照明装置１０は、発光部１３を有する基板１２と、基板１２が配置される基板配置面２４を有する器具本体１４と、基板１２を覆って器具本体１４に取り付けられる、透光性を有するカバー１６と、カバー１６に配置され、外部から信号を受信するアンテナ１８とを備える。また、照明装置１０は、器具本体１４に取り付けられ、発光部１３に電力を供給する駆動装置２０と、アンテナ１８で受信した信号に基づいて駆動装置２０から発光部１３への電力供給を制御する制御装置２２とを更に備える。そして、カバー１６は拡散率４０〜９０％である。
【００３１】
この構成によれば、カバー１６が４０〜９０％の拡散率を有することで、発光部１３から照射された光がカバー１６によって拡散されて出射されるために、カバー１６に設けられたアンテナ１８が目立ち難くなり、その結果、照明装置１０の意匠性の低下を抑制することができる。
【００３２】
本実施形態の照明装置１０において、アンテナ１８は、カバー１６において器具本体１４とカバー１６との間に形成される空間１５と接する内面に配置されているのが好ましい。これにより、アンテナ１８が人手に触れにくくなることで損傷を抑制でき、通信不良の発生を抑制できる。
【００３３】
次に、図３を参照して第２実施形態の照明装置１０Ａについて説明する。図３は、第２実施形態の照明装置１０Ａの分解斜視図である。以下において、上述した第１実施形態の照明装置１０と相違する点について主として説明し、上記第１実施形態の照明装置１０と同一又は類似の構成には同一又は類似の参照符号を付して重複する説明を行わない。
【００３４】
図３に示すように、照明装置１０Ａは、基板１２、器具本体１４、カバー１６、駆動装置２０、および、制御装置２２を備える。
【００３５】
本実施形態における基板１２は、複数の発光部１３が互いに間隔を空けて配置され、具体的には２行５列のパターンで配列されている。
【００３６】
本実施形態における器具本体１４は、平面視で矩形状をなす平板により構成されている。
【００３７】
本実施形態においてカバー１６は、平面視で矩形形状を有し、アンテナ１８はカバー１６の端部に配置されている。より詳しくは、アンテナ１８は、矩形形状をなすカバー１６のカバー部１６ａにおいて１つのコーナー部近傍に配置されている。
【００３８】
本実施形態において制御装置２２は、平面視で矩形形状をなす基板１２の長さ方向Ｘの一端部上に搭載されている。これにより、制御装置２２は、平面視で矩形状をなす器具本体１４の端部に配置され、高さ方向Ｚにおいてアンテナ１８と対向する位置に設けられている。
【００３９】
照明装置１０Ａの他の構成は、上述した第１実施形態の照明装置１０と同じである。
【００４０】
このように本実施形態の照明装置１０Ａでは、カバー１６が平面視で矩形形状を有し、アンテナ１８がカバー１６の端部に配置されている。また、制御装置２２は、アンテナ１８に対向する器具本体１４の端部に配置されている。この構成の照明装置１０Ａによっても、上述した第１実施形態の照明装置１０と同様の効果を奏することができる。
【００４１】
図４は、第１実施形態の変形例である照明装置１０Ｃを示す分解斜視図である。以下では、第１実施形態の照明装置１０と相違する点について主として説明し、同一の構成には同一の参照符号を付して重複する説明を行わない。
【００４２】
図４に示すように、照明装置１０Ｃのカバー１６は、器具本体１４の基板配置面２４と交差する方向に延伸する側面１６ｃを有し、アンテナ１８が側面１６ｃに配置されている。より詳しくは、照明装置１０Ｃにおいて制御装置２２は長さ方向Ｘの一端部に配置されているが、制御装置２２が配置されているのと同じ端部に位置する側面１６ｃにアンテナ１８が配置されている。照明装置１０Ｃの他の構成は、第１実施形態の照明装置１０と同じである。本実施形態の照明装置１０Ｃによれば、アンテナ１８と制御装置２２との間の距離が第１実施形態の照明装置１０よりも短くなるため、両者間の電気的接続をより簡単かつ確実に行うことができる。また、側面１６ｃにアンテナ１８が配置される方が、カバー部１６ａに配置される場合に比べてより目立ち難くなり、意匠性の低下を抑制できる。
【００４３】
図５は、第２実施形態の変形例の照明装置１０Ｄを示す分解斜視図である。以下では、第２実施形態の照明装置１０Ａと相違する点について主として説明し、同一の構成には同一の参照符号を付して重複する説明を行わない。
【００４４】
図５に示すように、照明装置１０Ｄのカバー１６は、平面視で矩形形状を有し、アンテナ１８はカバー１６の端部に配置されている。より詳しくは、カバー１６は、矩形状のカバー部１６ａと、カバー部１６ａの四方縁部から基板配置面２４と略垂直に交差する方向に延伸する４つの側面１６ｃを有し、アンテナ１８は、制御装置２２が配置されている基板１２の端部近傍に位置する側面１６ｃに配置されている。他の構成は、上述した第２実施形態の照明装置１０Ａと同じである。本実施形態の照明装置１０Ｄによれば、アンテナ１８と制御装置２２との間の距離が第２実施形態の照明装置１０Ａよりも短くなるため、両者間の電気的接続をより簡単かつ確実に行うことができる。
【００４５】
次に、図６および図７を参照して、第１実施形態の更に別の照明装置１０Ｅについて説明する。図６は、本実施形態の照明装置１０Ｅを示す斜視図である。図７は、図６に示した照明装置１０Ｅを組み立てた状態でのＢ−Ｂ断面図である。以下では、第１実施形態の照明装置１０と相違する点について主として説明し、同一構成には同一符号を付して重複する説明を省略する。
【００４６】
図６および図７に示すように、アンテナ１８は透光性基材１９上に形成され、透光性基材１９がカバーに貼着されている。透光性基材１９は、例えば、樹脂フィルム、ガラス板等によって好適に構成される。この場合、透光性基材１９の光透過率は９０％以上であることが好ましい。このような光透過率を有する透光性基材１９上にアンテナ１８をパターン形成してカバー１６に貼着することで、透光性基材１９自体も目立ちにくくなり、照明装置１０Ｅの意匠性低下を防止することができる。また、透光性基材１９上にアンテナ１８をパターン形成できるので、カバー１６とは別にアンテナ１８を容易に製造することが可能になる。
【００４７】
次に、図８を参照して、第３実施形態の照明装置１０Ｆについて説明する。図８において、（ａ）は第３実施形態の照明装置１０Ｆの上面図であり、（ｂ）は（ａ）中のＣ−Ｃ断面図である。以下において、上述した第１および第２実施形態の照明装置１０〜１０Ｅと相違する点について主として説明し、上記第１および第２実施形態の照明装置１０〜１０Ｅと同一又は類似の構成には同一又は類似の参照符号を付して重複する説明を行わない。
【００４８】
図８（ａ），（ｂ）に示すように、器具本体１４の上面に駆動装置２０および制御装置２２が設置されている。駆動装置２０と制御装置２２は、電線２３によって電気的に接続されており、電線２３を介して制御装置２２から駆動装置２０に電力供給に関する指令が送信されるようになっている。
【００４９】
照明装置１０Ｆにおいて、アンテナ１８は、図９（ａ），（ｂ）に示すように、透光性基材１９上に形成されている。アンテナ１８は、クランク状に折れ曲がったパターン部１８ａと、バターン部１８ａの端部に接続して直線状に延伸する導電部１８ｂとを含む。アンテナ１８において無線信号を受信する機能は主としてパターン部１８ａによって実現されるが、導電部１８ｂもまた無線信号の受信機能を果たし得る。なお、アンテナ１８のパターン部１８ａの形状は、例えば、逆Ｆ型などの他の形状であってもよい。
【００５０】
透光性基材１９は、長尺帯状をなしている。透光性基材１９は、例えば、樹脂フィルムによって好適に構成される。透光性基材１９の光透過率は９０％以上であることが好ましい。
【００５１】
アンテナ１８は、透光性基材１９の表面に例えば金属めっき等によって形成されている。アンテナ１８を構成する導電性パターン線の線幅は、例えば、０．１〜０．５ｍｍであることが好ましい。また、アンテナ１８は、例えば、ＩＴＯ等の透光性導電材料で形成されてもよい。
【００５２】
アンテナ１８のパターン部１８ａは、透光性基材１９の長手方向一方側の端部に形成されている。アンテナ１８の導電部１８ｂは、一端部がパターン部１８ａに接続し、他端部が透光性基材１９の長手方向他方側の端部に位置している。
【００５３】
図９（ｂ）に示すように、透光性基材１９上に形成されたアンテナ１８は、例えば樹脂材料等からなる透光性の保護層３０で覆われているのが好ましい。このように保護層３０を設けることで、アンテナ１８が損傷しないように保護することができる。保護層３０は、透光性基材１９よりも少し短く形成されている。保護層３０は、アンテナ１８のパターン部１８ａ、及び導電部１８ｂの大部分を覆っているが、アンテナ１８の制御装置２０への接続部となる導電部１８ｂの端部は保護層３０で覆われることなく露出している。また、保護層３０は、接着層であってもよい。このように保護層３０が接着層を兼ねることで、カバー１６へのアンテナ１８の設置および固定を容易に行うことができる。
【００５４】
再び図８を参照すると、透光性基材１９上に設けられたアンテナ１８は、パターン部１８ａがカバー１６のカバー部１６ａの外面（すなわち下面）に位置するよう配置されている。この場合、アンテナ１８は、保護層３０を接着層として構成し、カバー１６の外側表面に接着されることによって配置されるのが好ましい。
【００５５】
アンテナ１８が形成された透光性基材１９は、カバー１６のカバー部１６ａから一方側の側面１６ｃに沿って延伸して器具本体１４の上面に延伸している。このように延伸している部分にはアンテナ１８の導電部１８ｂが形成されている。そして、器具本体１４の上面に位置する透光性基材１９の他方側端部には、コネクタ３２ａが連結されている。このコネクタ３２ａが制御装置２２に設けられたコネクタ連結部３２ｂに挿入されている。これにより、アンテナ１８が形成された透光性基材１９が制御装置２２に機械的に接続され、かつ、アンテナ１８の導電部１８ｂが制御装置２２に電気的に接続されている。
【００５６】
これにより、照明装置１０Ｆにおいては、アンテナ１８と制御装置２２とを電気ケーブルで電気的に接続する場合に比べて、はんだ付け工程が不要となってアンテナ１８の制御装置２２への電気的接続が容易になり生産性が向上する。また、はんだ付けが難しい材料（例えば、ニッケル、非金属導電材料）でアンテナ１８を形成することが可能になる。また、保護層３０を接着層とすれば、アンテナ１８の設置が容易となって照明装置の生産性が向上する。さらに、透光性基材上に形成したアンテナ自体を制御装置２２に電気的に接続する構成としたことで、電気ケーブルを用いる必要がなく、照明点灯時におけるカバー外部からの視認性が大幅に低減され意匠性の低下を抑制できる。
【００５７】
なお、図８（ａ）の上部の部分拡大図に示すように、アンテナ１８の導電部１８ｂの末端は透光性基材１９の端縁部から例えば１〜１０ｍｍ程度の寸法Ｓだけ内側に位置するものとしてもよい。このように内側に位置する導電部１８ｂの末端にコネクタ３２ａの端子を電気的に接続すればよい。
【００５８】
次に、図１０を参照して、第４実施形態の照明装置１０Ｇについて説明する。図１０において、（ａ）は第４実施形態の照明装置の上面図であり、（ｂ）は（ａ）中のＥ−Ｅ断面図である。
【００５９】
図１０に示すように、本実施形態の照明装置１０Ｇでは、カバー１６の長手方向一方側の側面１６ｃ上に透光性基材１９の端部が位置している。すなわち、照明装置１０Ｇでは、アンテナ１８のパターン部１８ａがカバー１６の側面１６ｃに配置されている。換言すれば、アンテナ１８がカバー１６のカバー部１６ａに配置されていない。これ以外の構成は、上述した第３実施形態の照明装置１０Ｆと同様である。本実施形態の照明装置１０Ｇによれば、アンテナ１８および透光性基材１９がカバー１６の側面１６ｃに配置され、カバー部１６ａに配置されていないため、アンテナ１８がより目立ち難くなり意匠性の低下をより一層抑制できる。
【００６０】
なお、図１１（ａ），（ｂ）に示すように、照明装置１０Ｇにおいて、制御装置２２を器具本体１４の長手方向端部寄りに設置してもよい。これにより、アンテナ１８の制御装置２２への接続をより容易に行うことができる。また、アンテナ１８および透光性基材１９の長さ（面積）を縮小できる。
【００６１】
次に、図１２を参照して、第５実施形態の照明装置１０Ｈについて説明する。図１２において、（ａ）は第５実施形態の照明装置１０Ｈの上面図であり、（ｂ）は（ａ）中のＧ−Ｇ断面図である。
【００６２】
図１２に示すように、照明装置１０Ｈでは、器具本体１４の長手方向の端部に貫通孔３４が形成されている。透光性基材１９上に形成されたアンテナ１８は、器具本体１４の貫通孔３４を通ってカバー１６の内部に挿入されている。カバー１６の内部に配置されている透光性基材１９の端部に、アンテナ１８のパターン部１８ａが形成されている。この場合、アンテナ１８は透光性基材１９又は保護層３０を介してカバー１６の内面に貼着されてもよいし、あるいは、カバー１６の内面に接触して配置されているだけでもよい。照明装置１０Ｈの他の構成は、上述した第３実施形態の照明装置１０Ｆと同様である。
【００６３】
この場合、カバー１６は４０〜９０％の拡散率を有しているため、照明点灯時にカバー１６内に配置されているアンテナ１８のパターン部１８ａや透光性基材１９のカバー外部からの視認性が低減され、照明装置の意匠性が向上する。また、アンテナ１８の少なくともパターン部１８ａがカバー１６内に配置されるためアンテナ１８の保護がより確実になる。
【００６４】
なお、図１２ではアンテナ１８のパターン部１８ａが形成されている透光性基材１９の端部が照明装置１０Ｈの長手方向中央部分まで延びて配置されている例を示したが、これに限定されるものではない。図１３に示すように、パターン部１８ａが形成されている透光性基材１９の端部が照明装置１０Ｈの長手方向の端部に位置するように構成してもよい。このようにすれば、照明点灯時におけるアンテナ１８のパターン部１８ａや透光性基材１９のカバー外部からの視認性をより低減できるので、照明装置１０Ｈの意匠性がより向上する。また、透光性基材１９の長さ（および面積）を縮小することができる。
【００６５】
次に、図１４を参照して第６実施形態の照明装置１０Ｉについて説明する。図１４において、（ａ）は第６実施形態の照明装置１０Ｉの上面図であり、（ｂ）は（ａ）中のＩ−Ｉ断面図である。
【００６６】
図１４に示すように、照明装置１０Ｉでは、制御装置２２が器具本体１４の下面、すなわち基板配置面２４上に配置されている。制御装置２２は、器具本体１４の長手方向の端部に配置されている。この場合、駆動装置２０もまた、器具本体１４の長手方向中央部よりも端部側に寄った位置に設置するのが好ましい。これにより、制御装置２２と駆動装置２０との間を電線２３で接続する作業が容易になる。また、制御装置２２は、例えば、ねじ、接着等によって器具本体１４に固定されてもよい。照明装置１０Ｉの他の構成は、上述した第３実施形態の照明装置１０Ｆと同様である。
【００６７】
本実施形態の照明装置１０Ｉによれば、照明点灯時におけるアンテナ１８のパターン部１８ａや透光性基材１９のカバー外部からの視認性をより低減できるので、照明装置１０Ｉの意匠性がより向上する。また、アンテナ１８の全体がカバー１６内に配置されるためアンテナ１８の保護がより確実になる。
【００６８】
なお、本開示に係る照明装置は、上述した実施形態およびその変形例に限定されるものではなく、本願の特許請求の範囲に記載された事項の範囲内において種々の改良や変更が可能であることは勿論である。
【符号の説明】
【００６９】
１０，１０Ａ，１０Ｃ，１０Ｄ，１０Ｅ  照明装置、１２  基板、１３  発光部、１４器具本体、１５  空間、１６  カバー、１６ａ  カバー部、１６ｂ  取付部、１６ｃ  側面、１８  アンテナ、１８ａ  パターン部、１８ｂ  導電部、１９  透光性基材、２０  駆動装置、２２  制御装置、２３  電線、２４  基板配置面、２６  屈曲部、２８  取付部、３０  保護層、３２ａ  コネクタ、３２ｂ  コネクタ連結部、３４  貫通孔。
【図１】
2019110103.tif 000003
【図２】
2019110103.tif 000004
【図３】
2019110103.tif 000005
【図４】
2019110103.tif 000006
【図５】
2019110103.tif 000007
【図６】
2019110103.tif 000008
【図７】
2019110103.tif 000009
【図８】
2019110103.tif 000010
【図９】
2019110103.tif 000011
【図１０】
2019110103.tif 000012
【図１１】
2019110103.tif 000013
【図１２】
2019110103.tif 000014
【図１３】
2019110103.tif 000015
【図１４】
2019110103.tif 000016